(57)【要約】【課題】  容易にマウスを所望の位置に移動させ得るマウスパッドの提供。【解決手段】  表面がマウスを載置する載置面とされたパッド本体と、マウスの操作者の手首あるいはその近傍を載せる操作部とを一体的に備え、操作部は、パッド本体から手前側に配置されたベース部と、ベース部から上方に向けて突出するようベース部に並べられた複数本の突起を有する突起群とを備え、突起群における各突起の先端は、載置面より高く位置付けられ、しかもベース部の幅方向中心から幅方向外側に外れるほどベース部からの高さが低く位置付けられているマウスパット。【選択図】  図１
2013257647.tif 000002
【特許請求の範囲】
【請求項１】
マウスが載置される載置面を有したパッド本体と、マウスの操作者の手首あるいはその近傍を載せる操作部とを一体的に備え、
前記操作部は、パッド本体から手前側に配置されたベース部と、該ベース部から上方に向けて突出するようベース部に並べられた複数本の突起を有する突起群とを備え、
該突起群における各突起の先端は、前記載置面より高く位置付けられ、しかもベース部の幅方向中心から幅方向外側に外れるほどベース部からの高さを低く位置付けられていることを特徴とするマウスパット。
【請求項２】
突起群における各突起は、ベース部の幅方向中心から幅方向外側に外れるほど短く形成されている請求項１記載のマウスパッド。
【請求項３】
突起群における各突起は、ベース部の前後方向中心から前後方向外側に外れるほどベース部からの高さを低く位置付けられている請求項１または請求項２記載のマウスパット。
【請求項４】
突起群における各突起は、ベース部の前後方向中心から前後方向外側に外れるほど短く形成されている請求項３記載のマウスパッド。
【発明の詳細な説明】
【技術分野】
【０００１】
本発明は、マウスパッドに関する。
【背景技術】
【０００２】
下記特許文献１（例えば図１４参照）には、複数の指圧突起からなる突起群を備えたマウスパッドが記載されている。各指圧突起は、パッド本体の幅方向中心部側を低く設定しているのに対して、その幅方向外側を高く設定している。
【０００３】
このようなマウスパッドでは、マウスの操作者はその手首を突起群における幅方向中心部側に載せて手首の位置を安定させた状態で、パッド本体に載せたマウスを操作する。
【先行技術文献】
【特許文献】
【０００４】
【特許文献１】特開２００６−２５２５４９号公報
【発明の概要】
【発明が解決しようとする課題】
【０００５】
上記従来のマウスパッドでは、手首の位置を安定させた状態でマウスを操作することができる一方、手首の位置が拘束されてしまうことになる。そうなると、例えば、ディスプレイ上のポインタを目的の位置に移動させるために、マウスを現在の位置から移動させようとする場合で、マウスがマウスパッド上の隅にあると、操作者は手首を突起群から外してマウスを適当な位置まで移動させてから、再びマウスを移動させなければならないという煩わしさが生じる。
【０００６】
そこで本発明は、このような煩わしさを伴わずに、マウスを所望の位置に移動させ得るマウスパッドの提供を目的とする。
【課題を解決するための手段】
【０００７】
本発明のマウスパッドは、マウスが載置される載置面を有したパッド本体と、マウスの操作者の手首あるいはその近傍を載せる操作部とを一体的に備え、前記操作部は、パッド本体から手前側に配置されたベース部と、該ベース部から上方に向けて突出するようベース部に並べられた複数本の突起を有する突起群とを備え、該突起群における各突起の先端は、前記載置面より高く位置付けられ、しかもベース部の幅方向中心から幅方向外側に外れるほどベース部からの高さを低く位置付けられていることを特徴としている。
【０００８】
上記構成によれば、マウスの操作に際し、突起群に載せた操作者の手首が拘束されず、突起群上での手首を返すような動作が可能になるとともに、しかもこのような動作は、ベース部の幅方向中心から幅方向外側に外れるほど低くなっている突起で支障なく案内され、さらに、幅方向外側の突起を低くすることで、マウスを把持する操作者の手が載置面の中心部に向き易くなることから、把持されたマウスもまた、常時的に載置面の中心に位置させ易くなり、したがって、マウスを所望の位置に移動させ易い。しかも操作者が手首あるいはその近傍を突起群に載せて、マウスを把持して操作すると、操作者はその手首等の重さによる反発力を突起群から受けて、手首等が刺激され、手首がマッサージされる。
【０００９】
本発明に係るマウスパッドの一態様として、突起群における各突起は、ベース部の幅方向中心から幅方向外側に外れるほど短く形成されている構成を採用することができる。
【００１０】
上記構成によれば、突起の長さを短く形成することで、突起群における各突起の先端は、ベース部の幅方向中心から幅方向外側に外れるほどベース部からの高さを低く位置付けられている。
【００１１】
本発明に係るマウスパッドの他態様として、突起群における各突起は、ベース部の前後方向中心から前後方向外側に外れるほどベース部からの高さが低く位置付けられている構成を採用することができる。該構成では、前後方向外側に外れるほどベース部からの高さが低い突起により、操作者の手首は案内される。
【００１２】
本発明に係るマウスパッドの他態様として、突起群における各突起は、ベース部の前後方向中心から前後方向外側に外れるほど短く形成されている構成を採用することができる。
【００１３】
上記構成によれば、突起の長さを短く形成することで、突起群における各突起の先端は、ベース部の前後方向中心から前後方向外側に外れるほどベース部からの高さが低く位置付けられている。
【発明の効果】
【００１４】
本発明のマウスパッドによれば、突起群における各突起の先端は、ベース部の幅方向中心から幅方向外側に外れるほどベース部からの高さが低く位置付けられているから、突起群に載せた操作者の手首が拘束されず、突起群上での手首を返すような動作が可能になるとともに、しかもこのような動作は、ベース部の幅方向中心から幅方向外側に外れるほど低くなっている突起で案内され、さらに、幅方向外側の突起を低くすることで操作者の、マウスを把持する手が載置面の中心部に向き易くなることから、把持されたマウスもまた、常時的に載置面の中心に位置させ易くなり、したがってマウスを所望の位置に移動させ易く、マウスの動作に煩わしさを伴うことなくマウスを所望の位置に移動させることができる。
【図面の簡単な説明】
【００１５】
【図１】本発明の一実施形態に係るマウスパッドの使用状態を表した斜視図である。
【図２】同マウスパッドの平面図である。
【図３】同マウスパッドの、図２におけるＡ−Ａ線断面図である。
【図４】同マウスパッドの、図２におけるＢ−Ｂ線断面図である。
【図５】同マウスパッドの、図２におけるＣ−Ｃ線拡大断面図である。
【図６】同マウスパッドの突起の拡大断面図である。
【発明を実施するための形態】
【００１６】
以下、図１ないし図６を参照しつつ、本発明の一実施形態に係るマウスパッド１を説明する。図１ないし図４に示すように、本実施形態に係るマウスパッド１は、表面がマウス２を載置する載置面３０とされたパッド本体３と、マウス２の操作者の手首４あるいはその近傍を載せる操作部５とを備えている。
【００１７】
本実施形態のマウスパッド１において、パッド本体３が操作部５に対して前方に配置されている。すなわち、操作部５はパッド本体３の後方（操作者を視点にすれば、操作者側である手前側）に配置されている。
【００１８】
パッド本体３は合成樹脂から形成され、図２に示すように、平面視して前後方向ＺＧを長手方向とし、左右方向ＳＹを短手方向とする略矩形（長方形）の板状に形成されている。図３に示すように、パッド本体３は、側面視して、前方ほど肉薄に形成されている。この場合、パッド本体３の前後方向長さは略１６０ｍｍ、左右方向幅は略１４０ｍｍに設定されている。さらに、パッド本体３の後端部の厚みは略５ｍｍ、先端部の厚みは略３ｍｍに設定されている。
【００１９】
パッド本体３の表面３１は平坦面であり、表面３１には、その面方向に亘る（前後左右方向に広がる）窪み３２が形成されており、窪み３２に合成樹脂性のシート３３が貼着されている。すなわち載置面３０は、シート３３の表面である。図２に示すように、窪み３２の後部は、左右方向中心ほど前方へ突出するよう緩やかに湾曲している。図２、図３、図５に示すように、パッド本体３の裏面側には、シート３３の沈み込み等を補強するための格子状の補強部３４が一体的に形成されている。パッド本体３のパッド底面３５は平坦面に形成されている。パッド本体３の先端隅部には面取りが施され、パッド本体３の前端面３６は、前方に向けて緩やかに突出する円弧面に形成されている。
【００２０】
図２および図３に示すように、操作部５は、パッド本体３から後方に向けて一体的に延長されたベース部６と、ベース部６から上方に向けて突出するようベース部６に並べられた、それぞれ複数本の第一突起７１および第二突起７２を有する突起群７とを備えている。
【００２１】
ベース部６は平面視して、略矩形（長方形）に形成されている。ベース部６は、パッド本体３のパッド底面３５と面一のベース底面６１を有している。また、ベース部６は、パッド本体３の載置面３０よりもわずかに高い位置にあって、ベース底面６１と対向する上面６２を備えている。ベース部６の後隅部には、面取りが施されている。
【００２２】
図４に示すように、上面６２は、左右方向中心が、ベース底面６１から最も高い位置にあって左右方向中心からその外側ほど次第に低くなるよう湾曲した湾曲面に形成されている。また、図３に示すように、上面６２は、前後方向中心が、ベース底面６１から最も高い位置にあって前後方向中心からその外側ほど次第に低くなるよう湾曲した湾曲面に形成されている。
【００２３】
ベース底面６１と上面６２との間は、側面６３によって連続されている。側面６３と上面６２との連続部分（境界部分）には、面取りが施されている。平面視して、ベース部６の前端面（側面６３の前端面）６５は、左右方向中心ほど前方に突出した緩やかな湾曲面に形成されている。この湾曲面の曲率は、窪み３２の後部の曲率と略一致している。平面視して、側面６３の後端面６６は、左右方向中心ほど後方に突出する緩やかな湾曲面に形成されている。
【００２４】
突起群７における第一突起７１、第二突起７２の各先端（上端）は、載置面３０より高く位置付けられている。また、図４に示すように、突起群７における第一突起７１、第二突起７２の各先端は、ベース部６の左右向中心から左右方向外側である左右方向両側に外れるほど、ベース部６からの高さが低くなるよう位置付けられている。さらに、図３に示すように、突起群７における第一突起７１、第二突起７２の各先端は、ベース部６の前後方向中心から前後方向外側に外れるほど、ベース部６（ベース底面６１）からの高さが低くなるよう位置付けられている。
【００２５】
第一突起７１および第二突起７２は、ともに上面６２から上方へ向けて突出するよう形成されている。本実施形態では、第一突起７１および第二突起７２の上面６２からの突出方向は、ベース底面６１に対して垂直な方向である。
【００２６】
複数の第一突起７１および複数の第二突起７２は、上面６２の面方向に整然と（一定の規則性をもって）並べられている。具体的には、本実施形態における第一突起７１と第二突起７２の配置関係は、一本の第二突起７２の周囲を複数本（図２では五本）の第一突起７１が、均等な配置間隔で、第二突起７２を周方向で囲繞するよう配置されている。
【００２７】
左右方向に隣り合う第一突起７１どうしの離間幅は、等しく設定されている。該離間幅は、一本の第一突起７１が入る余裕のない距離である。前後方向に隣り合う第一突起７１どうしの離間幅は、等しく設定されている。該離間距離は、一本の第一突起７１が入る余裕のある距離である。
【００２８】
左右方向ＳＹに沿って並べられる突起の個数は、前後方向中心において最も多く、前後方向中心から前後方向ＺＧに外れるほど順次少なくなっている。前後方向ＺＧに沿って並べられる突起の個数は、左右方向中心から左右方向ＳＹそれぞれに所定距離だけ離間する範囲内においては、等距離に配置したｎ個と、等距離に配置した（ｎ−１）個を繰返して設けている。具体的には、ｎ個は四個であり、（ｎ−１）個は三個である。そして突起は、所定距離を左右方向ＳＹに外れると、順次少なくなるよう設定されている。
【００２９】
第一突起７１は、上部ほど径が小さくなっており、中抜き円柱状に形成されている。また、第一突起７１の先端面は、球面状に形成されている。第二突起７２は、上部ほど径が小さくなっており、中抜き円柱状に形成されている。したがって、各第一突起７１および第二突起７２の内部には、ベース底面６１から上方へ向かう凹部６４が形成されている。
【００３０】
図６に示すように、第二突起７２は、第一突起７１と同様の構成の突起本体７２Ａと、突起本体７２Ａの先端面に一体的に形成された先端突起７３とを備えている。突起本体７２Ａの先端面は球面状に形成されている。先端突起７３は、突起本体７２Ａに比べて小径に形成されている。先端突起７３は、複数本（図２では三本であるが、二本あるいは四本以上であってもよい）に分岐するよう形成されている。そして、各先端突起７３は、互いに上端部側ほど離間するよう、先端面から傾斜して形成されている。各先端突起７３は円柱状に形成されている。そして手首への接触面積の合計については、第二突起７２における先端突起７３と第一突起７１の先端面とでは、第二突起７２における先端突起７３のほうが小さくなるよう設定されている。
【００３１】
なお、ベース部６の中心から離れるほど第一突起７１、第二突起７２の先端が低く設定されているとは、先端突起７３を含めない、第一突起７１、第二突起７２の先端の高さのことである。そして、第一突起７１、第二突起７２は、外側に配置したものほど長さが短い（高さが低い）から、その分だけ弾性が大きく（硬く）、中心側に配置したものほどその長さが長いから、その分だけ弾性小さい（柔らかい）。
【００３２】
上記構成のマウスパッド１において、マウス２の操作者は、マウス２を載置面３０に載置し、操作者は手首４あるいはその近傍の、マウス２を把持してこれを操作し易い部分を操作部５の突起群７に載せる（預ける）ようにして、マウス２を操作することができる。
【００３３】
操作者が手首４を突起群７に載せて、マウス２を把持して操作すると、操作者はその手首４の重さによる反発力を突起群７から受けて、手首４が刺激され、手首４がマッサージされる。
【００３４】
特に、突起群７は、先端面が球面状に形成された複数の第一突起７１と、球面状の先端面にさらに先端突起７３を備えた複数の第二突起７２から構成されていることから、操作者は、第一突起７１の先端面および第二突起７２の先端突起７３から、一律でない異なったマッサージ感覚をそれぞれ受けて、心地よい。
【００３５】
しかも操作者は、マウス２を操作しない場合では、操作部５の突起群７に手首４を載せて、手首４の表側・裏側が突起群７に接触し続けるように手首４を左右方向ＳＹに返す（回動）させることで、手首４の一領域のみではなく、手首４の周囲全体をもマッサージすることが可能になる。この場合、突起群７における第一突起７１、第二突起７２の各先端は、ベース部６の左右向中心から左右方向外側である左右方向両側に外れるほど、ベース部６からの高さが低くなるよう位置付けられていることから、操作者は、手首４を円滑に左右方向ＳＹに返すことができる。
【００３６】
特に、先端突起７３は、突起本体７２Ａに比べて小径に形成されている。すなわち、大径の突起本体７２Ａをベース部６の上面６２から突出させていることで、第二突起７２に手首の重さが働いた場合に、第二突起７２が容易に傾倒してしまうという状態を防止したうえで、しかも、手首に接触する先端突起７３は、突起本体７２Ａに比べて小径に設定することで、その径に応じた、心地よい刺激（マッサージ効果）を操作者の手首に付与することができるようになっている。
【００３７】
一般的に、径が小さい突起であれば手首への接触面積が小さいから、手首に付与される刺激は強い。しかしながら、本実施形態では、第一突起７１と第二突起７２の配置関係は、一本の第二突起７２の周囲を複数本の第一突起７１が、均等な配置間隔で、第二突起７２を周方向で囲繞するよう配置されている。換言すれば、第一突起７１の個数に比べて第二突起７２の個数を少なくし、しかも第二突起７２は、突起群７の構成要素として散りばめられている。このように、突起群７において第二突起７２が先端突起７３を備えていても、手首に付与される刺激が強すぎないように設定されていて、手首は心地よい刺激を受けられる。
【００３８】
しかも、突起群７には、第一突起７１に、先端突起７３を備えた第二突起７２を混在させてあることから、突起群７を第一突起７１のみから構成した場合に比べて、その分だけ手首が接触する面積を小さくして、手首の移動にともなう摩擦力の増加が抑えられている。このため手首の移動を支障なく行えて、マウス２の操作を円滑に行い得る。
【００３９】
上記のように、突起群７における第一突起７１、第二突起７２の各先端は、ベース部６の左右向中心から左右方向外側である左右方向両側に外れるほど、ベース部６からの高さが低くなるよう位置付けられている。このことから、突起群７に載せた手首４は拘束されず、突起群７上での手首４を返すような動作が可能になるとともに、このような動作は、ベース部６の幅方向中心から左右方向外側に外れるほど低くなっている第一突起７１および第二突起７２で案内される。そして、左右方向外側の第一突起７１および第二突起７２を低くすることで操作者の、マウス２を把持する手が載置面３０の中心部に向き易くなる。このため、把持されたマウス２もまた、常時的に載置面３０の中心に位置させ易くなる。そうなると、載置面３０上で、マウス２を所望の位置に移動させ易い。
【００４０】
要するに、手首４が操作部５の突起群７における左右方向中心部にある場合では、手首４は前後方向ＺＧに沿うようになって、マウス２はベース部６の左右向中心部に位置し易く、手首４が操作部５の突起群７における左右方向中心から左右方向外側にある場合では、手首４は前後方向ＺＧに対して傾斜する方向に沿うようになって、マウス２はベース部６の左右向中心部に位置し易くなる。
【００４１】
よって、例えば、ディスプレイ上のポインタを目的の位置に移動させるために、マウス２を載置面３０上の現在の位置から移動させようとする場合で、マウス２が載置面３０上の隅にあるといった状況が発生しにくい。したがって、操作者は手首４を突起群７から外してマウス２を最適な位置まで移動させてから、再びマウス２を移動させなければならないという煩わしさが生じない。
【００４２】
しかも、突起群７における第一突起７１、第二突起７２の各先端は、ベース部６の前後方向中心から前後方向外側に外れるほど、ベース部６（ベース底面６１）からの高さが低くなるよう位置付けられている。このため、マウス２の操作者は、手首４を前後方向ＺＧに返す動作もまた、支障なく行うことができる。
【００４３】
このように、手首４を返す方向が、左右方向ＳＹおよび前後方向ＺＧに自由であると、操作者はマウス２を把持し易いし、マウス２を常時的に載置面３０の中心に位置させ易く、したがって、載置面３０上で、マウス２を所望の位置に移動させ易い。そして、操作者は手首４を返すよう動作するごとに、突起群７の第一突起７１および第二突起７２によって、意図せずして手首４にマッサージを受けることができる。
【００４４】
上記のように、本実施形態のマウスパッド１は、表面がマウスを載置する載置面３０とされたパッド本体３と、マウス２の操作者の手首４あるいはその近傍を載せる操作部５とを一体的に備え、操作部５は、パッド本体３から手前側に延長されたベース部６と、ベース部６から上方に向けて突出するようベース部６に並べられた複数本の突起７１，７２を有する突起群７とを備え、突起群７における各突起７１，７２の先端は、載置面３０より高く位置付けられ、しかもベース部６の左右方向中心から左右方向外側に外れるほどベース部６からの高さが低く位置付けられている。
【００４５】
上記構成によれば、突起群７に載せた手首４が拘束されず、突起群７上での手首４を返すような動作が可能になるとともに、しかもこのような動作は、ベース部６の左右向方向中心から左右方向外側に外れるほど低くなっている突起７１，７２で案内され、さらに、左右方向外側の突起７１，７２を低くすることで、操作者の、マウス２を把持する手が載置面３０の中心部に向き易くなることから、把持されたマウス２もまた、常時的に載置面３０の中心に位置させ易くなり、したがってマウス２を所望の位置に移動させ易い。
【００４６】
本実施形態に係るマウスパッド１では、突起群７における各突起７１，７２は、ベース部６の幅方向中心から幅方向外側に外れるほど短く形成されている構成を採用している。
【００４７】
上記構成のように、突起７１，７２の長さを短く形成することで、突起群７における各突起７１，７２の先端は、ベース部６の幅方向中心から幅方向外側に外れるほどベース部６からの高さが低く位置付けられる。
【００４８】
本実施形態に係るマウスパッド１では、突起群７における各突起７１，７２は、ベース部６の前後方向中心から前後方向外側に外れるほどベース部６からの高さが低く位置付けられている構成を採用している。該構成では、前後方向外側に外れるほどベース部６からの高さが低い突起７１，７２により、操作者の手首４は案内される。
【００４９】
本実施形態に係るマウスパッド１では、突起群７における各突起７１，７２は、ベース部６の前後方向中心から前後方向外側に外れるほど短く形成されている構成を採用している。
【００５０】
上記構成のように、突起７１，７２の長さを短く形成することで、突起群７における各突起７１，７２の先端は、ベース部６の前後方向中心から前後方向外側に外れるほどベース部６からの高さが低く位置付けられている。
【００５１】
本発明は、その主旨を逸脱しない範囲で種々変形が可能である。その他、各部の具体的構成についても上記実施形態に限られるものではない。例えば、上記実施形態では、突起７１，７２の先端形状が異なる二種類に特定した例で説明した。しかしながら、突起は三種類以上の形状であってもよい。あるいは第二突起７２の先端を、第一突起７１と同一形状として、突起群７を同一形状の複数の突起から構成してもよい。
【００５２】
上記実施形態では、第一突起７１および第二突起７２は、ともに上面６２から上方へ向けてベース底面６１に対して垂直な方向に突出するよう形成された構成を説明した。しかしながら、これら突起は、ベース部６の左右方向中心、ベース部６の前後方向中心から離れる位置にあるものほど、その先端が上面６２に対して傾斜させるよう配置することもできる。
【００５３】
上記実施形態では、第一突起７１および第二突起７２は、ベース部６と一体的に形成したが、第一突起７１および第二突起７２は、ベース部６と別体に形成して、ベース部６に形成した孔に挿入するようにして、ベース部６に第一突起７１および第二突起７２を取付けるよう構成することもできる。
【００５４】
上記実施形態では、ベース部６の上面６２は、上方へ向けて突となる湾曲面に形成された例を説明した。しかしながら、上面６２は平坦面であってもよい。特にこの場合では、ベース部６の左右方向中心、ベース部６の前後方向中心から離れる位置にある突起７１，７２ほど、その長さを短く設定することで、ベース部６からの高さを低く位置付けるようにすることができる。
【００５５】
上記実施形態では、パッド本体３および操作部５が合成樹脂により一体的に形成された例を説明した。しかしながら、パッド本体３と操作部５は、別体に形成し、パッド本体３と操作部５を前後に付き合わせるようにして使用することも可能である。
【符号の説明】
【００５６】
１…マウスパッド、２…マウス、３…パッド本体、４…手首、５…操作部、６…ベース部、７…突起群、３０…載置面、６２…上面、６３…側面、６４…凹部、６６…後端面、７１…第一突起、７２…第二突起、７３…先端突起
【図１】
2013257647.tif 000003
【図２】
2013257647.tif 000004
【図３】
2013257647.tif 000005
【図４】
2013257647.tif 000006
【図５】
2013257647.tif 000007
【図６】
2013257647.tif 000008